(57)【要約】【課題】内視鏡と挿入具とを互いに充分に固定できると共に、挿入具に内視鏡を円滑に挿入することが可能な内視鏡装置を提供する。【解決手段】この内視鏡装置は、挿入部１２、及び、基端部に設けられている内視鏡側係合部６２、を有する内視鏡１０と、挿入部１２が進退可能に挿通される中空体４２、及び、中空体４２の基端部に設けられ、内視鏡側係合部６２と係合可能である挿入具側係合部６４、を有する挿入具４１と、を有する。【選択図】      図３
2008142334.tif 000002
【特許請求の範囲】
【請求項１】
体腔内に挿入される挿入部、及び、基端部に設けられている内視鏡側係合部、を有する内視鏡と、
前記挿入部が進退可能に挿通される中空体、及び、前記中空体の基端部に設けられ、前記内視鏡側係合部と係合可能である挿入具側係合部、を有する挿入具と、
を具備することを特徴とする内視鏡装置。
【請求項２】
前記内視鏡側係合部と前記挿入具側係合部とは、夫々、互いに嵌合する内視鏡側嵌合部と挿入具側嵌合部とを有する、ことを特徴とする請求項１に記載の内視鏡装置。
【請求項３】
前記内視鏡は、前記挿入部より基端側に設けられ外周面がテーパ形状をなすオレドメ部を有し、
前記内視鏡側嵌合部は、前記オレドメ部の外周面によって形成されており、
前記挿入部側嵌合部は、前記オレドメ部の外周面と嵌合するテーパ部を有する、
ことを特徴とする請求項２に記載の内視鏡装置。
【請求項４】
前記内視鏡側嵌合部と前記挿入具側嵌合部との一方の嵌合部は嵌合凸部を有し、
前記内視鏡側嵌合部と前記挿入具側嵌合部との他方の嵌合部は前記嵌合凸部と嵌合する嵌合凹部を有する、
ことを特徴とする請求項２に記載の内視鏡装置。
【請求項５】
前記内視鏡側係合部と前記挿入具側係合部との一方の係合部はピンを有し、
前記内視鏡側係合部と前記挿入具側係合部との他方の係合部は、前記ピンが摺動される係合溝部を有し、
前記係合溝部は、前記挿入具に対して前記内視鏡が進退不能となるように前記ピンが係止される係止部と、前記係止部へと接続され前記ピンをガイドするガイド部と、を有する、
ことを特徴とする請求項１に記載の内視鏡装置。
【請求項６】
前記内視鏡側嵌合部と前記挿入具側嵌合部との少なくとも一方の嵌合部は、前記内視鏡側嵌合部と前記挿入具側嵌合部との固着を防止する固着防止機構を有する、
ことを特徴とする請求項２に記載の内視鏡装置。
【請求項７】
前記固着防止機構は、前記内視鏡側嵌合部と前記挿入具側嵌合部との少なくとも一方の嵌合部の嵌合面に形成されている固着防止凹部を有する、
ことを特徴とする請求項６に記載の内視鏡装置。
【請求項８】
前記内視鏡側嵌合部と前記挿入具側嵌合部との少なくとも一方の嵌合部は、前記内視鏡側嵌合部と前記挿入具側嵌合部との固着を解除する固着解除機構を有する、
ことを特徴とする請求項２に記載の内視鏡装置。
【請求項９】
前記固着解除機構は、前記内視鏡側嵌合部と前記挿入具側嵌合部との少なくとも一方の嵌合部を破壊する破壊機構により形成されている、
ことを特徴とする請求項８に記載の内視鏡装置。
【請求項１０】
前記固着解除機構は、前記内視鏡側嵌合部と前記挿入具側嵌合部との少なくとも一方の嵌合部を変形させて前記内視鏡側嵌合部の嵌合面と前記挿入具側嵌合部の嵌合面とを互いに分離させる変形機構により形成されている、
ことを特徴とする請求項８に記載の内視鏡装置。
【請求項１１】
請求項１乃至１０のいずれか１項に記載の内視鏡装置の内視鏡。
【請求項１２】
請求項１乃至１０のいずれか１項に記載の内視鏡装置の挿入具。
【発明の詳細な説明】
【技術分野】
【０００１】
本発明は、体腔内に挿入される内視鏡と、体腔内への内視鏡の挿入を補助する挿入具と、を有する内視鏡装置に関する。
【背景技術】
【０００２】
内視鏡の挿入部を体腔内へと挿入する際、体腔内への挿入部の挿入を補助する挿入具が用いられている。
【０００３】
特許文献１の内視鏡装置では、シース状の挿入具本体に内視鏡の挿入部が進退自在に挿入される。そして、挿入部を複雑に屈曲した体腔内の深部へと挿入していく際には、挿入具に対して挿入部を前進させて屈曲部を通過させ、続いて挿入部に沿って挿入具を前進させて屈曲部を通過させて、挿入具によって屈曲部を挿入しやすい形状に保持し、さらに挿入具に対して挿入部を前進させるという操作を繰り返す。ここで、挿入具の内腔の先端部及び基端部には、夫々、ドーナッツ状のバルーンが挿入具本体と共軸に配設されている。そして、バルーンを膨張させ、挿入具の内周面、両バルーン、挿入部の外周面によって密閉される空間に液体を充填させて液体の層を形成することで、挿入具と挿入部とを接触しにくくし、挿入具と挿入部との摩擦抵抗を軽減している。
【０００４】
また、特許文献１の内視鏡装置では、挿入部と内視鏡の基端部の操作部とを連結する連結部が挿入部よりも太径となっている。そして、連結部を挿入具の基端部のバルーンの位置に配置し、バルーンを膨張させて連結部を締め付けることで、挿入具と内視鏡とを固定することが可能となっている。
【特許文献１】特開２００５−１１８１１５号公報
【発明の開示】
【発明が解決しようとする課題】
【０００５】
特許文献１の内視鏡装置では、バルーンを膨張させて挿入部を締め付けることで挿入具と内視鏡とを固定しているため、挿入具と内視鏡とを充分に固定することが困難である。
【０００６】
また、挿入具の内腔にバルーンが配設されているため、挿入具に内視鏡を挿入する際には、バルーンを収縮させたとしても、バルーンと挿入部とが干渉してしまい、内視鏡を円滑に挿入することができない。
【０００７】
本発明は、上記課題に着目してなされたもので、その目的とするところは、内視鏡と挿入具とを互いに充分に固定でき、挿入具に内視鏡を円滑に挿入することが可能な内視鏡装置を提供することである。
【課題を解決するための手段】
【０００８】
本発明の第１実施態様の内視鏡装置は、体腔内に挿入される挿入部、及び、基端部に設けられている内視鏡側係合部、を有する内視鏡と、前記挿入部が進退可能に挿通される中空体、及び、前記中空体の基端部に設けられ、前記内視鏡側係合部と係合可能である挿入具側係合部、を有する挿入具と、を具備することを特徴とする。
【０００９】
本発明の第２実施態様の内視鏡装置は、第１実施態様の内視鏡装置において、前記内視鏡側係合部と前記挿入具側係合部とは、夫々、互いに嵌合する内視鏡側嵌合部と挿入具側嵌合部とを有する、ことを特徴とする。
【００１０】
本発明の第３実施態様の内視鏡装置は、第２実施態様の内視鏡装置において、前記内視鏡が、前記挿入部より基端側に設けられ外周面がテーパ形状をなすオレドメ部を有し、前記内視鏡側嵌合部が、前記オレドメ部の外周面によって形成されており、前記挿入部側嵌合部が、前記オレドメ部の外周面と嵌合するテーパ部を有する、ことを特徴とする。
【００１１】
本発明の第４実施態様の内視鏡装置は、第２実施態様の内視鏡装置において、前記内視鏡側嵌合部と前記挿入具側嵌合部との一方の嵌合部が嵌合凸部を有し、前記内視鏡側嵌合部と前記挿入具側嵌合部との他方の嵌合部が前記嵌合凸部と嵌合する嵌合凹部を有する、ことを特徴とする。
【００１２】
本発明の第５実施態様の内視鏡装置は、第１実施態様の内視鏡装置において、前記内視鏡側係合部と前記挿入具側係合部との一方の係合部はピンを有し、前記内視鏡側係合部と前記挿入具側係合部との他方の係合部が、前記ピンが摺動される係合溝部を有し、前記係合溝部は、前記挿入具に対して前記内視鏡が進退不能となるように前記ピンが係止される係止部と、前記係止部と接続され前記ピンをガイドするガイド部と、を有する、ことを特徴とする。
【００１３】
本発明の第６実施態様の内視鏡装置は、第２実施態様の内視鏡装置において、前記内視鏡側嵌合部と前記挿入具側嵌合部との少なくとも一方の嵌合部が、前記内視鏡側嵌合部と前記挿入具側嵌合部との固着を防止する固着防止機構を有する、ことを特徴とする。
【００１４】
本発明の第７実施態様の内視鏡装置は、第６実施態様の内視鏡装置において、前記固着防止機構が、前記内視鏡側嵌合部と前記挿入具側嵌合部との少なくとも一方の嵌合部の嵌合面に形成されている固着防止凹部を有する、ことを特徴とする。
【００１５】
本発明の第８実施態様の内視鏡装置は、第２実施態様の内視鏡装置において、前記内視鏡側嵌合部と前記挿入具側嵌合部との少なくとも一方の嵌合部が、前記内視鏡側嵌合部と前記挿入具側嵌合部との固着を解除する固着解除機構を有する、ことを特徴とする。
【００１６】
本発明の第９実施態様の内視鏡装置は、第８実施態様の内視鏡装置において、前記固着解除機構が、前記内視鏡側嵌合部と前記挿入具側嵌合部との少なくとも一方の嵌合部を破壊する破壊機構により形成されている、ことを特徴とする。
【００１７】
本発明の第１０実施態様の内視鏡装置は、第８実施態様の内視鏡装置において、前記固着解除機構が、前記内視鏡側嵌合部と前記挿入具側嵌合部との少なくとも一方の嵌合部を変形させて前記内視鏡側嵌合部の嵌合面と前記挿入具側嵌合部の嵌合面とを互いに分離させる変形機構により形成されている、ことを特徴とする。
【発明の効果】
【００１８】
本発明の第１実施態様の内視鏡装置では、内視鏡側係合部と挿入具側係合部とを係合することにより、内視鏡と挿入具とを互いに充分に固定することが可能となっていると共に、挿入具に内視鏡の挿入部を挿入する際に挿入部側係合部が挿入の妨げとなることが少なく、挿入具に内視鏡の挿入部を円滑に挿入することが可能となっている。
【００１９】
本発明の第２実施態様の内視鏡装置では、内視鏡側嵌合部と挿入具側嵌合部とを互いに嵌合することで、内視鏡と挿入具とを確実に固定することが可能となっている。
【００２０】
本発明の第３実施態様の内視鏡装置では、内視鏡で通常用いられているオレドメ部の外周面によって内視鏡側嵌合部を形成しており、内視鏡に追加工が必要なく、安価に実施することが可能となっている。
【００２１】
本発明の第４実施態様の内視鏡装置では、嵌合凹部と嵌合凸部とを互いに嵌合することで、内視鏡と挿入具とを充分に確実に固定することが可能となっている。
【００２２】
本発明の第５実施態様の内視鏡装置では、係合溝部の係止部にピンを係止することにより、挿入具に対して内視鏡を進退不能に確実に固定することが可能となっていると共に、挿入具に対して内視鏡を移動させて、係合溝部のガイド部によってピンを係止部へと及び係止部からガイドすることにより、挿入具と内視鏡とを容易に固定及び固定解除することが可能となっている。
【００２３】
本発明の第６実施態様の内視鏡装置では、固着防止機構により、内視鏡側嵌合部と挿入具側嵌合部との固着が防止されるため、挿入具と内視鏡との固定を解除できなくなることが防止されている。
【００２４】
本発明の第７実施態様の内視鏡装置では、嵌合面に形成されている固着防止凹部によって、内視鏡側嵌合部と挿入具側嵌合部との固着が防止される。
【００２５】
本発明の第８実施態様の内視鏡装置では、固着解除機構により、内視鏡側嵌合部と挿入具側嵌合部との固着を解除可能となっているため、両嵌合部が固着してしまった場合にも、挿入具と内視鏡との固定解除を容易に行うことが可能となっている。
【００２６】
本発明の第９実施態様の内視鏡装置では、嵌合部を破壊することで、両嵌合部の固着を解除する。
【００２７】
本発明の第１０実施態様の内視鏡装置では、嵌合部を変形させて、両嵌合部の嵌合面を互いに分離させることで、両嵌合部の固着を解除する。
【発明を実施するための最良の形態】
【００２８】
以下、本発明の各実施形態を図面を参照して説明する。
【００２９】
図１乃至図３は、本発明の第１実施形態を示す。
【００３０】
図１及び図２を参照し、本実施形態の内視鏡装置の内視鏡１０は、体腔内に挿入される細長い挿入部１２を有する。この挿入部１２は、硬性の先端硬性部１４、湾曲作動される湾曲部１６、長尺で可撓性を有する可撓管部１８を先端側から順に連結することにより形成されている。挿入部１２の基端部は、オレドメ部２０を介して、操作者に把持操作される操作部２２に連結されている。オレドメ部２０は、挿入部１２と操作部２２との連結部において挿入部１２が折れてしまうのを防止するものである。操作部２２には、湾曲部１６を湾曲操作するための湾曲操作ノブ２４等が配設されている。そして、操作部２２からユニバーサルコード２６が延出されており、ユニバーサルコード２６の延出端部には光源コネクタ２８及び電気コネクタ３２が配設されている。光源コネクタ２８は光源装置３０に接続され、光源装置３０からの照明光が、光源コネクタ２８から内視鏡１０の先端部まで延設されているライトガイドを伝達されて、内視鏡１０の先端部から照射される。また、電気コネクタ３２は電気ケーブル３４を介してビデオプロセッサ３６に接続され、内視鏡１０の先端部の撮像ユニットで得られた画像信号が、内視鏡１０の先端部から電気コネクタ３２まで延設されている信号ケーブル及び電気ケーブル３４を介して、ビデオプロセッサ３６へと出力される。ビデオプロセッサ３６は、入力された画像信号を処理して、モニター３８に観察画像を表示させる。なお、内視鏡１０の操作部２２には、ビデオプロセッサ３６を操作するための各種スイッチ４０が配設されている。
【００３１】
一方、本実施形態の内視鏡装置の挿入具４１はシース状の中空体４２を有する。この中空体４２の内腔に、内視鏡１０の挿入部１２が基端開口から先端開口へと進退自在に挿通される。なお、先端硬性部１４及び湾曲部１６を含む挿入部１２の先端部は、中空体４２の先端開口から突出可能である。中空体４２の基端部には液体用口金４６が配設されており、液体用口金４６から液体供給路４７が中空体４２の内腔まで延設されている。そして、シリンジ等によって、液体用口金４６から液体供給路４７を介して中空体４２の内腔に潤滑剤を供給することが可能となっている。この潤滑剤により、挿入具４１の内周面と挿入部１２の外周面との滑り性が向上される。また、中空体４２の基端部には気体用口金４８が配設されており、気体用口金４８から気体給排路４９が中空体４２の先端部のバルーン５０まで延設されている。このバルーン５０は中空体４２に外装されており、気体用口金４８から気体給排路４９を介して気体を給排することで、バルーン５０を膨張、収縮させることが可能となっている。気体用口金４８には給排チューブ５２を介して給排装置５４が接続されている。この給排装置５４では、給排チューブ５２へと気体を給排するポンプ５６が制御回路５８によって制御される。給排装置５４には、給排装置５４を操作するためのリモートコントローラ６０が接続されている。
【００３２】
図３を参照し、内視鏡１０のオレドメ部２０は基端側から先端側へと外径が減少しており、オレドメ部２０の外周面６２はテーパ形状をなしている。そして、挿入具４１の中空体４２の内径は、内視鏡１０の挿入部１２の外径即ちオレドメ部２０の先端部の外径よりも大きく、オレドメ部２０の基端部の外径よりも小さくなっている。このため、挿入具４１の中空体４２の基端開口に挿入部１２に続いてオレドメ部２０を挿入し、中空体４２にオレドメ部２０を圧入することにより、中空体４２の基端開口のエッジ部６４にオレドメ部２０の外周面６２を嵌合することが可能となっている。なお、挿入具４１の中空体４２の基端開口の径は挿入部１２の外径よりも大きいため、基端開口のエッジ部６４が挿入部１２と嵌合することはない。
【００３３】
即ち、本実施形態では、オレドメ部２０の外周面６２によって内視鏡側係合部としての内視鏡側嵌合部が形成されており、中空体４２の基端開口のエッジ部６４によって挿入具側係合部としての挿入具側嵌合部が形成されている。
【００３４】
次に、本実施形態の内視鏡装置の使用方法について説明する。
【００３５】
内視鏡１０を体腔内へと挿入する際には、挿入具４１に内視鏡１０を挿通し、挿入具４１と内視鏡１０とを互いに固定して一体化する。即ち、シリンジ等によって、液体用口金４６から液体供給路４７を介して挿入具４１の中空体４２の内腔に潤滑剤を供給しつつ、中空体４２の基端開口から内視鏡１０の挿入部１２を挿入し、中空体４２の内腔に挿入部１２を挿通する。この際、中空体４２の基端開口のエッジ部６４によって挿入部１２の挿入が妨げられることはない。続いて、中空体４２の基端開口に挿入部１２に続いてオレドメ部２０を挿入し、中空体４２にオレドメ部２０を圧入して、中空体４２の基端開口のエッジ部６４にオレドメ部２０の外周面６２を嵌合させる。このようにして、挿入具４１と内視鏡１０とが互いに固定される。
【００３６】
挿入具４１と内視鏡１０とを一体的に体腔内へと挿入していき、挿入具４１及び内視鏡１０が体腔の屈曲箇所の手前まで達したところで、挿入具４１に対して内視鏡１０を後退させて、挿入具４１の中空体４２の基端開口のエッジ部６４と内視鏡１０のオレドメ部２０の外周面６２との嵌合を解除する。このようにして、挿入具４１と内視鏡１０との固定が解除される。
【００３７】
給排装置５４によって気体用口金４８から気体給排路４９を介してバルーン５０に気体を供給し、バルーン５０を膨張させて体壁内面に係止させる。この状態で挿入具４１を後退させて、体壁を手繰り寄せて屈曲した体腔を直線状にし、内視鏡１０を挿入具４１に対して前進させて体腔の屈曲していた箇所を通過させる。内視鏡１０を体腔の次の屈曲箇所の手前まで前進させたら、給排装置５４によって挿入具４１のバルーン５０から気体を排気し、バルーン５０を収縮させて体壁内面との係止を解除する。続いて、内視鏡１０に沿って挿入具４１を屈曲箇所の手前まで前進させ、再びバルーン５０を膨張させて体壁内面に係止させる。ここで、挿入具４１の挿入された箇所までは、体腔は挿入しやすい形状に保持される。以下、同様の操作を繰り返して、内視鏡１０を複雑に屈曲した体腔の深部へと挿入していく。必要に応じて、挿入具４１と内視鏡１０との固定、固定解除を行う。
【００３８】
従って、本実施形態の内視鏡装置は次の効果を奏する。  
本実施形態の内視鏡装置では、内視鏡１０のオレドメ部２０の外周面６２と挿入具４１の中空体４２の基端開口のエッジ部６４とを嵌合することにより、内視鏡１０と挿入具４１とを互いに充分に確実に固定することが可能となっている。また、中空体４２の基端開口のエッジ部６４が内視鏡１０の挿入部１２とは嵌合不能となっているため、挿入具４１に挿入部１２を挿入する際にエッジ部６４が挿入の妨げとなることが少なく、挿入具４１に挿入部１２を円滑に挿入することが可能となっている。
【００３９】
図４は、本発明の第２実施形態を示す。
【００４０】
本実施形態の内視鏡装置の挿入具４１では、中空体４２の基端部の内周面側にテーパ部６８が形成されている。このテーパ部６８は、基端側から先端側へと内径が減少し、内視鏡１０のオレドメ部２０の外周面６２のテーパ形状に対応するものである。このため、中空体４２の基端開口に挿入部１２に続いてオレドメ部２０を挿入することにより、中空体４２の基端部のテーパ部６８にオレドメ部２０の外周面６２を嵌合することが可能となっている。また、テーパ部６８の先端部の内径は内視鏡１０の挿入部１２の外径よりも大きく、テーパ部６８が挿入部１２と嵌合することはない。
【００４１】
本実施形態の内視鏡装置の使用方法は、第１実施形態の内視鏡装置の使用方法と同様である。即ち、挿入具４１と内視鏡１０とを互いに固定する際には、挿入具４１の中空体４２の基端開口に挿入部１２に続いてオレドメ部２０を挿入して、中空体４２の基端部のテーパ部６８にオレドメ部２０の外周面６２を嵌合させる。ここで、中空体４２の基端部のテーパ部６８によって、挿入部１２の挿入が妨げられることはない。
【００４２】
本実施形態の内視鏡装置では、挿入具４１との嵌合に、内視鏡１０で通常用いられているオレドメ部２０の外周面６２を利用しているため、内視鏡１０に追加工が必要なく、安価に実施することが可能となっている。
【００４３】
また、挿入具４１の中空体４２の基端部のテーパ部６８と内視鏡１０のオレドメ部２０の外周面６２とを互いに嵌合しているため、第１実施形態の内視鏡装置と比較して、挿入具４１と内視鏡１０とをより確実に固定することが可能となっている。
【００４４】
図５は、本発明の第３実施形態を示す。
【００４５】
本実施形態の内視鏡装置では、挿入具４１の中空体４２の基端部の内周面側に、径方向内向きに突出する嵌合凸部７０が形成されている。一方、内視鏡１０のオレドメ部２０の外周部に、径方向内向きに沈降し、嵌合凸部７０に対応する嵌合凹部７２が形成されている。このため、中空体４２の基端開口に挿入部１２に続いてオレドメ部２０を挿入することにより、中空体４２の基端部の嵌合凸部７０をオレドメ部２０の嵌合凹部７２に嵌合することが可能となっている。また、嵌合凸部７０の径方向内側端部における内径は内視鏡１０の挿入部１２の外径よりも大きく、嵌合凸部７０が挿入部１２と嵌合することはない。
【００４６】
本実施形態の内視鏡装置の使用方法は、第１実施形態の内視鏡装置の使用方法と同様である。即ち、挿入具４１と内視鏡１０とを互いに固定する際には、挿入具４１の中空体４２の基端開口に挿入部１２に続いてオレドメ部２０を挿入して、中空体４２の基端部の嵌合凸部７０をオレドメ部２０の外周部の嵌合凹部７２に嵌合させる。ここで、中空体４２の基端部の嵌合凸部７０によって、挿入部１２の挿入が妨げられることはない。
【００４７】
本実施形態の内視鏡装置では、挿入具４１の中空体４２の基端部の嵌合凸部７０と内視鏡１０のオレドメ部２０の外周部の嵌合凹部７２とを互いに嵌合しているため、第２実施形態の内視鏡装置と比較して、挿入具４１と内視鏡１０とをさらに確実に固定することが可能となっている。
【００４８】
図６は、本発明の第４実施形態を示す。
【００４９】
本実施形態の内視鏡装置では、挿入具４１の中空体４２の内径は、内視鏡１０の挿入部１２、オレドメ部２０、操作部２２の先端部の外径よりも大きくなっている。そして、内視鏡１０の操作部２２の先端部にピン７３が径方向外向きに突設されている。一方、挿入具４１の中空体４２の基端部には、ピン７３が摺動される貫通溝形状の係合溝部７４が形成されている。この係合溝部７４では、ピン７３をガイドするガイド部７６が中空体４２の基端から長手軸方向に延びており、続いて、ピン７３が係止される係止部７８が周方向に延びている。
【００５０】
本実施形態の内視鏡装置の使用方法は、第１実施形態の内視鏡装置の使用方法と同様である。但し、挿入具４１と内視鏡１０とを互いに固定する際には、中空体４２の基端開口に挿入部１２、オレドメ部２０を挿入した後、挿入具４１に対して内視鏡１０を回転させて、係合溝部７４の入口に内視鏡１０の操作部２２の先端部のピン７３を位置合わせする。そして、挿入具４１に対して内視鏡１０を前進させ、ピン７３を係合溝部７４のガイド部７６に沿って摺動させ、続いて、挿入具４１に対して内視鏡１０を回転させて、ピン７３を係合溝部７４の係止部７８へと導入して係止する。この結果、挿入具４１に対して内視鏡１０が進退不能に固定される。挿入具４１と内視鏡１０との固定を解除する際には、挿入具４１に対して内視鏡１０を回転させて、ピン７３を係合溝部７４の係止部７８からガイド部７６に導入し、続いて、挿入具４１に対して内視鏡１０を後退させ、ピン７３を係合溝部７４のガイド部７６に沿って摺動させて係合溝部７４から抜去する。
【００５１】
本実施形態の内視鏡装置では、係合溝部７４の係止部７８にピン７３を係止することにより、挿入具４１に対して内視鏡１０を進退不能に確実に固定することが可能となっている。また、挿入具４１に対して内視鏡１０を進退及び回転させて、係合溝部７４のガイド部７６によってピン７３を係止部７８へと及び係止部７８からガイドすることにより、挿入具４１と内視鏡１０とを固定及び固定解除しており、嵌合によって固定する場合と比較して、比較的小さな操作力量で容易に固定及び固定解除を行うことが可能となっている。
【００５２】
図７は、本発明の第５実施形態を示す。
【００５３】
図４に示される第４実施形態のように、挿入具４１と内視鏡１０とを嵌合によって固定する場合には、長時間にわたって嵌合状態を維持していると、挿入具４１の嵌合面と内視鏡１０の嵌合面とが互いに固着してしまう場合がある。例えば、両嵌合面をなす材料がシリコン等の固着しやすい材料の場合、両嵌合面間に介在された体液等が乾燥、固化してしまった場合に、固着が生じる可能性がある。
【００５４】
図７を参照し、本実施形態では、このような固着を防止する固着防止機構が挿入具側嵌合部に形成されている。即ち、挿入具４１の基端部には外径の大きな太径部７９が形成されており、この太径部７９の内周面側に第４実施形態と同様なテーパ部６８が形成されている。このテーパ部６８において、固着防止溝部８０が長手軸方向に延設されている。
【００５５】
本実施形態の内視鏡装置では、固着防止溝部８０により、内視鏡１０のオレドメ部２０の外周面６２と挿入具４１のテーパ部６８との固着が防止されるため、挿入具４１と内視鏡１０との固定を解除できなくなることが防止されている。
【００５６】
図８は、本発明の第６実施形態を示す。
【００５７】
本実施形態では、挿入具４１の嵌合面と内視鏡１０の嵌合面との固着を解除する固着解除機構が挿入具側嵌合部に形成されている。即ち、第５実施形態と同様な挿入具４１の基端部の太径部７９の周壁に、ミシン目８２が形成されている。このミシン目８２は、太径部７９の基端から長手軸方向に延び、続いて周方向に延びている。そして、太径部７９の基端の、ミシン目８２によって囲まれる領域に、把持部８４が形成されている。挿入具４１の太径部７９のテーパ部６８と内視鏡１０のオレドメ部２０の外周面６２とが固着した場合には、太径部７９の把持部８４を把持して引き起こし、ミシン目８２を切断しつつミシン目８２に沿って太径部７９の周壁をオレドメ部２０から剥離していくことにより、両嵌合面の固着を解除することが可能である。
【００５８】
即ち、本実施形態では、太径部７９を破壊する破壊機構によって、固着解除機構が形成されている。なお、太径部７９を中空体４２本体に対して着脱自在とし、破壊された太径部７９を新たな太径部７９と交換可能としてもよい。
【００５９】
本実施形態の内視鏡装置では、挿入部１２の基端部の太径部７９を破壊することで、挿入具４１の太径部７９のテーパ部６８と内視鏡１０のオレドメ部２０の外周面６２との固着を解除可能となっているため、テーパ部６８と外周面６２とが固着してしまった場合にも、挿入具４１と内視鏡１０との固定解除を容易に行うことが可能となっている。
【００６０】
図９は、本発明の第７実施形態を示す。
【００６１】
本実施形態では、内視鏡１０のオレドメ部２０に、挿入具４１のテーパ部６８と接触しない平面部８６が形成されている。このため、テーパ部６８にオレドメ部２０の外周面６２を嵌合させた場合には、テーパ部６８とオレドメ部２０の平面部８６との間に、太径部７９の周壁を径方向内側へと変形可能な変形用スペース８８が形成されることになる。テーパ部６８とオレドメ部２０の外周面６２とが固着した場合には、太径部７９の周壁を変形用スペース８８へと径方向内側に変形させることにより、太径部７９の周壁全体を楕円状に変形させて、テーパ部６８とオレドメ部２０の外周面６２とを互いに分離して、固着を解除することが可能である。即ち、本実施形態では、太径部７９を変形させる変形機構によって、固着解除機構が形成されている。
【００６２】
本実施形態の内視鏡装置では、太径部７９を変形させて、テーパ部６８とオレドメ部２０の外周面６２とを互いに分離させることで固着を解除しており、第７実施形態のように太径部７９を破壊する場合と比較して、容易かつ安価に固定解除を行うことが可能となっている。
【図面の簡単な説明】
【００６３】
【図１】本発明の第１実施形態の内視鏡装置を示す図。
【図２】本発明の第１実施形態の内視鏡及び挿入具を示す図。
【図３】本発明の第１実施形態の内視鏡及び挿入具を示す部分断面側面図。
【図４】本発明の第２実施形態の内視鏡及び挿入具を示す部分断面側面図。
【図５】本発明の第３実施形態の内視鏡及び挿入具を示す部分断面側面図。
【図６】本発明の第４実施形態の内視鏡及び挿入具を示す側面図。
【図７】本発明の第５実施形態の挿入具の基端部を示す斜視図。
【図８】本発明の第６実施形態の挿入具の基端部を示す斜視図。
【図９】本発明の第７実施形態の挿入具の基端部を示す斜視図。
【符号の説明】
【００６４】
１０…内視鏡、１２…挿入部、２０…オレドメ部、４１…挿入具、４２…中空体、６２；７２；７３…内視鏡側係合部、６２；７２…内視鏡側嵌合部、６２…外周面、７２…嵌合凹部、７３…ピン、６４；６８；７０；７４…挿入具側係合部、６４；６８；７０…挿入具側嵌合部、６４…エッジ部、６８…テーパ部、７０…嵌合凸部、７４…係合溝部、７６…ガイド部、７８…係止部、８０…固着防止機構・固着防止凹部、８２，８４；８６，８８…固着解除機構、８２，８４…破壊機構、８６，８８…変形機構。
【図１】
2008142334.tif 000003
【図２】
2008142334.tif 000004
【図３】
2008142334.tif 000005
【図４】
2008142334.tif 000006
【図５】
2008142334.tif 000007
【図６】
2008142334.tif 000008
【図７】
2008142334.tif 000009
【図８】
2008142334.tif 000010
【図９】
2008142334.tif 000011